(57)【要約】【課題】空気流に含まれる軽量物の分離除去性能の低下を防止し、処理量を向上する。【解決手段】風力により混合物Ｍを選別する風力選別機において、空気流を生起するブロア４と、このブロア４により生起された空気流により混合廃棄物Ｍを重量廃棄物Ｈと軽量廃棄物Ｌとに選別する選別部と、ブロア４により生起した空気の通過を許容する通気機能を有するとともに、選別部により選別された軽量廃棄物Ｌを外周面で捕捉するように選別部の下流側に設けた回転ドラムフィルタ３７と、回転ドラムフィルタ３７の外周面で捕捉された軽量廃棄物Ｌを回転ドラムフィルタ３７から引き剥がすように回転ドラムフィルタ３７の外周近傍に設けたスクレーパ３９とを備える。【選択図】　　図１
2004033881.tif 000002
【特許請求の範囲】
【請求項１】
風力により混合物を選別する風力選別機において、
空気流を生起する送風機と、
この送風機により生起された空気流により混合物を重量物と軽量物とに選別する選別部と、
前記送風機により生起した空気の通過を許容する通気機能を有するとともに、前記選別部により選別された軽量物を外周面で捕捉するように前記選別部の下流側に設けた回転ドラムと、
前記回転ドラムの外周面で捕捉された軽量物を回転ドラムから引き剥がすように前記回転ドラムの外周近傍に設けたスクレーパと
を備えたことを特徴とする風力選別機。
【請求項２】
風力により混合物を選別する風力選別機において、
空気流を生起する送風機と、
この送風機により生起された空気流により混合物を重量物と軽量物とに選別する選別部と、
前記送風機により生起した空気の通過を許容する通気機能を有するとともに、前記選別部により選別された軽量物を外周面で捕捉するように前記選別部の下流側に設けた回転ドラムと、
前記回転ドラムの外周面で捕捉された軽量物に回転ドラムの内側から押し出し力を与えるように前記回転ドラムの内周側に設けた押し出し手段と、
前記押し出し手段により押し出された前記回転ドラムの外周側の軽量物を回転ドラムから引き剥がすように前記回転ドラムの外周近傍に設けたスクレーパと
を備えたことを特徴とする風力選別機。
【請求項３】
請求項１または２記載の風力選別機において、
前記選別部は、
傾斜して設けられる回転式の筒状部材と、
前記筒状部材の長手方向へ移動する混合物を捕捉するように前記筒状部材内に設けた捕捉手段と、
この捕捉手段で捕捉した混合物を前記筒状部材の回転に伴って掻き上げるように前記筒状部材内に設けた掻き上げ手段と
を備えることを特徴とする風力選別機。
【請求項４】
空気流により混合物を重量物と軽量物とに選別する選別部の下流側に設けられ、前記選別部により選別された軽量物を捕捉、除去するフィルタ装置において、
送風機により生起した空気の通過を許容する通気機能を有するとともに、前記選別部により選別された軽量物を外周面で捕捉する回転ドラムと、
前記回転ドラムの外周面で捕捉された軽量物を回転ドラムから引き剥がすように前記回転ドラムの外周近傍に設けたスクレーパと
を備えたことを特徴とするフィルタ装置。
【請求項５】
空気流により混合物を重量物と軽量物とに選別する選別部の下流側に設げられ、前記選別部により選別された軽量物を捕捉、除去するフィルタ装置において、
送風機により生起した空気の通過を許容する通気機能を有するとともに、前記選別部により選別された軽量物を外周面で捕捉する回転ドラムと、
前記回転ドラムの外周面で捕捉された軽量物に回転ドラムの内側から押し出し力を与えるように前記回転ドラムの内周側に設けた押し出し手段と、
この押し出し手段により押し出された前記回転ドラムの外周側の軽量物を回転ドラムから引き剥がすように前記回転ドラムの外周近傍に設けたスクレーパと
を備えたことを特徴とするフィルタ装置。
【発明の詳細な説明】
【０００１】
【発明の属する技術分野】
本発明は、混合物中に含まれる様々な物を、その重量に応じて選別する風力選別機及びこれに用いるフィルタ装置に関するものである。
【０００２】
【従来の技術】
例えば、廃棄物（ごみ）は、大きく分けて一般家庭や小売店、レストランから出される一般廃棄物と、事業活動に伴って生じた産業廃棄物に分けられる。中でも産業廃棄物は、事業活動に伴って生じることから特性の性状のものが大量に発生する場合が多く、例えば、建築物の解体現場では、通常、例えばコンクリート塊、木材片、ガラス片、壁土、新建材、金具等が、細かいばらものとなった解体屑またはミンチと称するそれらの混合物が発生し、これが粗大廃棄物と混在した混合廃棄物として発生し、搬送される場合が多い。この混合廃棄物中には、上記以外にも、廃プラスチック類、ゴムくず、がれき類等が含まれる場合も多い。
【０００３】
昨今、建設副産物の再利用の気運の高まりから、このような混合廃棄物を発生させないために、分別解体の推奨や分別搬出の義務付けがなされようとしているが、その発生を皆無にすることは難しいのが現状である。
【０００４】
そこで、このような混合廃棄物の分別を行うために、例えば、特開平８−３０９２８７号公報に記載のように、風力を用いて廃棄物の選別を行う風力選別機が従来より知られている。
【０００５】
この従来技術では、投入コンベヤで搬送されてきた混合廃棄物にノズルヘッダで選別用の空気流を衝突させ、混合廃棄物中の重量物のみを下方に落下させることにより軽量物を選別し搬送して、さらに選別された軽量物を含む空気流から軽量物をフィルタ装置（スクリーン）で除去するようになっている。
【０００６】
このとき、フィルタ装置は、ベルトコンベア状（無限軌道式）の網目部材（スクリーン本体）を一対の駆動プーリに巻き回して構成されており、空気流を網目を通過させるとともに空気流に含まれる軽量物を網目部材で捕捉するようになっている。そして、網目部材を循環駆動することにより、空気流により網目部材に押し当てられ捕捉された軽量物を空気流の衝突する範囲外に移動させ、空気流が作用しなくなったときに重力によって軽量物を下方に落下させて、網目部材から分離除去するようになっている。
【０００７】
【発明が解決しようとする課題】
しかしながら、上記従来技術には以下の課題が存在する。
【０００８】
すなわち、混合廃棄物中にビニールシート、紐状あるいはフィルム状の物等が混入し、これらのものがフィルタ装置の網目部材に強く張り付いたり、引っかかったりした場合には、それらを空気流の衝突する範囲外に移動させてもその自重では下方に落下せず分離除去できない可能性がある。この場合、その分離されない廃棄物はそのまま網目部材に付着し目詰まりした状態で循環駆動され続けるため、網目部材の空気流の通過を阻害し、処理量が低下するだけでなく、その除去作業に多大な工数を要する。
【０００９】
ところで、従来より、廃棄物のうち再利用困難なものは無害化や安定化等の処理を行った後最終処分場に埋設処分されるているが、近年、廃棄物の増加に伴ってこれを埋設する最終処分場が不足しているため、処分場内に投棄された廃棄物を処分場から取出して減容処理し最終処分場の延命化を図ることが必要になりつつある。そこで、このような一旦投棄埋設された後に掘り出した混合廃棄物についても今後は上記風力選別の対象となりうるが、この場合、廃棄物が湿気を帯びていたりまた強く圧密された状態となっているため、特に上記の付着の問題が顕著となる可能性がある。
【００１０】
本発明の目的は、空気流に含まれる軽量物の分離除去性能の低下を防止し、処理量を向上できる風力選別機及びこれに用いるフィルタ装置を提供することにある。
【００１１】
【課題を解決するための手段】
（１）上記目的を達成するために、本発明は、風力により混合物を選別する風力選別機において、空気流を生起する送風機と、この送風機により生起された空気流により混合物を重量物と軽量物とに選別する選別部と、前記送風機により生起した空気の通過を許容する通気機能を有するとともに、前記選別部により選別された軽量物を外周面で捕捉するように前記選別部の下流側に設けた回転ドラムと、
前記回転ドラムの外周面で捕捉された軽量物を回転ドラムから引き剥がすように前記回転ドラムの外周近傍に設けたスクレーパとを備える。
【００１２】
本発明においては、混合廃棄物中から選別され空気流に乗って搬送されてきた軽量物を回転ドラムの外周面で捕捉するとともに、その捕捉した軽量物をスクレーパによって回転ドラムの外周面から引き剥がす。これにより、例えば混合物中に混入したビニールシート、紐状あるいはフィルム状の物等がフィルタ装置の回転ドラムに強く張り付いたり、引っかかったりした場合であっても、それらをスクレーパで確実に除去することができる。したがって、回転ドラムにおける軽量物の分離除去性能の低下を防止でき、処理量を向上することができる。
【００１３】
（２）上記目的を達成するために、また本発明は、風力により混合物を選別する風力選別機において、空気流を生起する送風機と、この送風機により生起された空気流により混合物を重量物と軽量物とに選別する選別部と、前記送風機により生起した空気の通過を許容する通気機能を有するとともに、前記選別部により選別された軽量物を外周面で捕捉するように前記選別部の下流側に設けた回転ドラムと、前記回転ドラムの外周面で捕捉された軽量物に回転ドラムの内側から押し出し力を与えるように前記回転ドラムの内周側に設けた押し出し手段と、前記押し出し手段により押し出された前記回転ドラムの外周側の軽量物を回転ドラムから引き剥がすように前記回転ドラムの外周近傍に設けたスクレーパとを備える。
【００１４】
本発明においては、上記（１）の構成に加え、回転ドラム外周側に捕捉された軽量物に対し押し出し手段で内周側から外周側への押し出し力を与えて例えば浮き上がらせ、この浮き上がった状態でスクレーパが回転ドラムからの引き剥がしを行う。このように、押し出し手段とスクレーパとで協動作業を行うようにすることで、さらに確実に回転ドラムにおける軽量物の分離除去性能の低下を防できる。
【００１５】
（３）上記（１）または（２）において、好ましくは、前記選別部は、傾斜して設けられる回転式の筒状部材と、前記筒状部材の長手方向へ移動する混合物を捕捉するように前記筒状部材内に設けた捕捉手段と、この捕捉手段で捕捉した混合物を前記筒状部材の回転に伴って掻き上げるように前記筒状部材内に設けた掻き上げ手段とを備える。
【００１６】
（４）上記目的を達成するために、また本発明は、空気流により混合物を重量物と軽量物とに選別する選別部の下流側に設けられ、前記選別部により選別された軽量物を捕捉、除去するフィルタ装置において、送風機により生起した空気の通過を許容する通気機能を有するとともに、前記選別部により選別された軽量物を外周面で捕捉する回転ドラムと、前記回転ドラムの外周面で捕捉された軽量物を回転ドラムから引き剥がすように前記回転ドラムの外周近傍に設けたスクレーパとを備える。
【００１７】
（５）上記目的を達成するために、また本発明は、空気流により混合物を重量物と軽量物とに選別する選別部の下流側に設げられ、前記選別部により選別された軽量物を捕捉、除去するフィルタ装置において、送風機により生起した空気の通過を許容する通気機能を有するとともに、前記選別部により選別された軽量物を外周面で捕捉する回転ドラムと、前記回転ドラムの外周面で捕捉された軽量物に回転ドラムの内側から押し出し力を与えるように前記回転ドラムの内周側に設けた押し出し手段と、この押し出し手段により押し出された前記回転ドラムの外周側の軽量物を回転ドラムから引き剥がすように前記回転ドラムの外周近傍に設けたスクレーパとを備える。
【００１８】
【発明の実施の形態】
以下、本発明の風力選別機の一実施の形態を図面を参照しつつ説明する。
【００１９】
図１は、本発明の風力選別機の一実施の形態の全体構造を表す側断面図である。この図１において、この風力選別機は、例えば前述の最終処分場に設けられており、１は筒状部材としての本体回転ドラム、２は本体回転ドラム１を回転駆動する駆動手段としての本体回転ドラム駆動モータ、３は投入された混合廃棄物を受け入れる投入ホッパ、４はブロア（送風機）、５は本体支持フレーム、６は本体側ベースフレームであり、以上がブロア４により生起された空気流により混合廃棄物を重量物（後述）と軽量物（後述）とに選別する選別部を構成している。また、７はフィルタ装置、８はフィルタ側ベースフレーム、９は軽量物分離チャンバである。
【００２０】
本体支持フレーム５は、ピン１０を介して本体側ベースフレーム６に対して回動可能（傾動可能）に接続されている。１１はその傾動動作用のシリンダ（例えば電動シリンダ、油圧シリンダ等）であり、一端側（図１中下側）がピン１２を介し本体側ベースフレーム６に設けたブラケット１３に回動自在に接続されており、他端側（図１中上側）がピン１４を介し本体支持フレーム５に設けたブラケット１５に回動自在に接続されている。このような構造により、シリンダ１１の伸縮動作によって本体回転ドラム１をピン１０を回動支点として所望の傾斜角度にできるようになっている。なお、シリンダ１１を用いず、チェーンブロック等の別途の支持手段で所望の傾斜角度に支持するようにしてもよい。
【００２１】
本体回転ドラム１は、詳細な支持構造の図示及び説明を省略するが、回転ドラム支持ローラ１６ａ，１６ｂを介して本体支持フレーム６に対し回転自在に支持されており、図１中右側の回転ドラム支持ローラ１６ｂに上述の回転ドラム駆動モータ２の駆動力が伝達されることにより、本体回転ドラム１はその軸心線（図示省略）まわりに回転駆動されるようになっている。
【００２２】
図２は、本発明の風力選別装置の一実施の形態を構成する本体回転ドラム１の詳細構造を表す水平断面図である。この図２及び前述の図１において、１７は外郭を構成するドラム本体、１８は長手方向一方側（図１中左側）端部に設けた重量物排出口、１９は長手方向他方側（図１中右側）端部に設けた廃棄物導入口（軽量物排出口を兼ねる）、２０は長手方向他方側において廃棄物導入口１９よりも長手方向一方側に設けた中間物排出口、２１はこの中間物排出口２０に設けたスクリーン、２２はスクリーンカバーである。
【００２３】
また、２３ａ，２３ｂ，２３ｃはこの順序で中間物排出口２０から重量物排出口１８側に間隔をおいてそれぞれ配列した流路形成ブロックであり、それぞれ略円環状形状を備え、その外周面がドラム本体１７の内周面に密着するように固定されている。２４ａ，２４ｂ，２４ｃはそれぞれ、流路形成ブロック２３ａの廃棄物導入口側、流路形成ブロック２３ａ，２３ｂの間、流路形成ブロック２３ｂ，２３ｃの間に設けた掻き上げ板であり、各掻き上げ板２４はそれぞれドラム本体１７内周面の円周方向複数箇所（例えば４箇所）に所定ピッチで配列固定されている。このような構造によって、本体回転ドラム１内の流路には、流路形成ブロック２３ａ，２３ｂ，２３ｃの内周側には他の部分よりも流路断面積が小さな小径部２５Ａ，２５Ｂ，２５Ｃがそれぞれ形成されるとともに、小径部２５Ａと廃棄物導入口１９との間、小径部２５Ａ，２５Ｂの間、小径部２５Ｂ，２５Ｃの間、小径部２５Ｃと重量物排出口１８との間に、大径部２６Ａ，２６Ｂ，２６Ｃ，２６Ｄがそれぞれ形成される。言い換えれば、これら小径部２５Ａ，２５Ｂ，２５Ｃ及び大径部２６Ａ，２６Ｂ，２６Ｃ，２６Ｄは、ドラム本体１７の両端部を除く長手方向中間部に、大径部２６Ａ、小径部２５Ａ、大径部２６Ｂ、小径部２５Ｂ、大径部２６Ｃ、小径部２５Ｃ、大径部２６Ｄの順で交互に配置されている。
【００２４】
なお、後述するように、廃棄物導入口１９から導入された混合廃棄物（特に重量物）はドラム本体１７内をその長手方向に図１中左側（言い換えれば重量物排出口１８側）に流れ、このとき、各流路形成ブロック２３ａ，２３ｂ，２３ｃの廃棄物導入口１９側（図１中右側）壁面２３ａＡ，２３ｂＡ，２３ｃＡは、その流れる混合廃棄物を対応する小径部２５Ａ，２５Ｂ，２５Ｃの手前で捕捉する段付き部（捕捉手段）として機能する。また、前述の掻き上げ板２４ａ，２４ｂ，２４ｃはそれぞれ、段付き部としての上記各流路形成ブロック壁面２３ａＡ，２３ｂＡ，２３ｃＡで捕捉された混合廃棄物を回転ドラム１の回転とともにその回転方向に掻き上げて同伴させる掻き上げ手段として機能する。また、流路形成ブロック２３ｃの重量物排出口１８側（図１中左側）壁面２３ｃＢはテーパ形状となっており、ここまで到達した重量物が重量物排出口１８まで自重ですばやく円滑に転げ落ちるように図られている。
【００２５】
２７は、本体支持フレーム５の軽量物分離チャンバ９側（図１中右側）端部近傍に支持部材２８を介して固定された通路部材であり、投入ホッパ３を上部に接続するホッパ接続部２７ａと、このホッパ接続部２７ａより回転ドラム１側（図１中左側）に設けられ投入ホッパ３から投入されホッパ接続部２７を介し導入された混合廃棄物を導出する拡径形状の導出部２７ｂと、ホッパ接続部２７ａより軽量物分離チャンバ９側（図１中右側）に設けられた軽量物排出部２７ｃとを備えている。このような構造により、通路部材２７は、ホッパ接続部２７ａの下方位置が空気流方向におけるその前後部分（導出部２７ｂ及び軽量物排出部２７ｃ）に比べて縮径したいわゆるベンチュリ管状の形状となっている。この結果、空気流方向に絞りを設けたのと同等となってこの部分の静圧が低下し、ホッパ接続部２７ａを介した空気流の吹き出しを低減し、投入混合廃棄物の逆流を防止するようになっている。また、導出部２７ｂはドラム本体１７の廃棄物導入口１９を含む図１中右側端部１７ａ近傍を覆うように、かつ固定側であるその端部２７ｂＡが回転側であるドラム本体端部１７ａとの間にわずかな隙間を介在させるように、配置されている。
【００２６】
投入ホッパ３は、上記通路部材ホッパ接続部２７ａに対して公知の構造を介し傾斜可能に接続されており、これによって例えば本体回転ドラム１の傾斜角度にかかわらず略水平状態（軸線を略鉛直にした状態）を維持可能となっている。
【００２７】
ブロア４は、本体支持フレーム５の図１中左側端部近傍に支持部材２９を介して固定されており、ブロア駆動モータ３０によって駆動され混合廃棄物中の軽量物を重量物から選別し搬送するための空気流を生起する。３１はブロア４の出口側に接続された送風ダクト、３２は送風ダクト３１に固定された略円環板状のダクトガードであり、このダクトガード３２は、ドラム本体１７の重量物排出口１８を含む図１中左側端部１７ｂ近傍を覆うように、かつ固定側であるその端部３２ａが回転側であるドラム本体端部１７ｂとの間にわずかな隙間を介在させるように、配置されている。また３３は送風ダクト３１に連続するように延設される送風フードであり、ブロア４で生起された空気流は、送風ダクト３１、送風フード３３を介し本体回転ドラム１内に供給される。このとき、送風フード３３は、大径部２６Ｄのうち重量物を排出する固定側の排出シュート３４側の領域には開口部３３Ａを臨ませて重量物を排出可能とする一方、排出シュート３４と反対側の領域を仕切ってそちらには空気流や重量物の流れが流れないようにする役割を果たしている。
【００２８】
軽量物分離チャンバ９は、前述の通路部材軽量物排出部２７ｃに接続される入口側空気通路（吸入口）を構成する導入部９ａと、上記フィルタ装置７を設置する出口側空気通路（吐出口、排気流路）を構成する空気流排出部９ｂと、下方に設けられる軽量物排出部９ｃとを備えている。また３５は下端部が前述のフィルタ側ベースフレーム８に、上端部が軽量物分離チャンバ９の下部に接続された公知のリンク機構であり、前述のようにピン１０を回動支点として本体支持フレーム５が回動することで軽量物排出部２７ｃの高さが変化するのに追従させて、軽量物分離チャンバ９の高さ方向位置を調整できるようになっている。また３６は、導入部９ａと通路部材２７の軽量物排出部２７ｃとの間に設けられた、例えば弾性材料からなるシール部材であり、前述のように本体支持フレーム５が回動することで軽量物排出部２７ｃと導入部９ａとの間のなす角度等微妙な位置関係が変化しても、これらの間を空気流の漏れなくシールし接続を確保できるようになっている。
【００２９】
フィルタ装置７は、軽量物分離チャンバ９の空気流排出部９ｂに設けられ、のちに詳述するように、導入部９ａから軽量物分離チャンバ９内に導入された軽量物を含む空気流の通過を許容する通気機能を有するとともに、その空気流から軽量物を除去する機能を備えている。
【００３０】
図３は、本発明の風力選別装置の一実施の形態を構成するフィルタ装置７の側面構造を表す図１中部分拡大図にほぼ相当する図である。これら図３及び前述の図１において、３７は回転ドラムフィルタ、３８は回転ドラムフィルタ３７を矢印ア方向に回転駆動するフィルタ駆動モータ、３９は回転ドラムフィルタ３７の外周部に設けたスクレーパ、４０は回転ドラムフィルタ３７の内周側下部領域に設けた押し出し手段としての回転押し出し部材である。
【００３１】
図４は、本発明の風力選別装置の一実施の形態を構成するフィルタ装置７の詳細構造を表す縦断面図である。この図４及び前述の図３において、４１は回転ドラムフィルタ３７の回転中心となる固定軸、４２はこの固定軸４１の両端部（図４及び図３では一方端のみを図示）をそれぞれ固定支持する切り欠き円形状のブラケット、４３はこのブラケット４２と空気流排出部９ｂ壁面とを接続する接続部材（図３及び図１では図示省略）である。回転ドラムフィルタ３７は、その両側の端部３７ａ（図４及び図３では一方端のみを図示）が図示しない公知の軸受機構を介し上記固定軸４１に回動自在に支持されており、図４及び図３に示す一方側の端部３７ａに設けたプーリ３７ｂに、フィルタ駆動モータ３８のモータ軸に設けたプーリ３８ａからの駆動力がベルト４４を介して伝達されることによって回転駆動される。
【００３２】
図５は、本発明の風力選別装置の一実施の形態を構成するフィルタ装置７の回転ドラムフィルタ３７及び回転押し出し部材４０の詳細構造を表す斜視図である。この図５及び前述の図３において、回転ドラムフィルタ３７は、空気流通用の多数の貫通孔を備えたこの例では網状部材（金属円筒板に多数の孔を設けた多孔円筒等でも良い）から構成されており、空気流を外周側から内周側へ向かって通過させるときに、搬送されてきた軽量物を外周部（外周面）で捕捉するようになっている。
【００３３】
回転押し出し部材４０は、外周側に多数の凹凸、突起、ブラシ等を設けたローラ部材（この例では、例えば回転軸を含む軸心部材まわりに剛毛を植設してなるたわしに類似の部材）であり、その回転軸の軸方向両端部を、上記の固定軸４１にアーム４６を介し支持された軸受４５によって回転自在に支持されている。この回転押し出し部材４０は、その下端部及びその近傍部分において前述の剛毛が回転ドラムフィルタ３７の内周に接するとともにさらに一部は前述の貫通孔を介して回転ドラムフィルタ３７の外周側にまで突出しつつ、回転ドラムフィルタ３７の外周側に捕捉された軽量物へ、内周側から外周側への押し出し力を与えるようになっている。
【００３４】
スクレーパ３９は、例えば軽量物分離チャンバ９の空気流排出部９ｂの下部壁面９ｂ（回転ドラムフィルタ３７の外周近傍）に固定されており、回転ドラムフィルタ３７の外周部に捕捉された後上記のように押し出し部材４０で押し出された軽量物を、押し出し部材４０と共働して回転ドラムフィルタ３７の外周部から引き剥がすようになっている。なお、回転ドラムフィルタ３７が上記のように網状部材の場合はスクレーパ３９は回転ドラムフィルタ３７の外周面に極めて小さな間隔を介して対向するように配置するが、回転ドラムフィルタ３７を金属円筒板に多数の孔を設けた多孔円筒等で構成した場合には、スクレーパ３９は回転ドラムフィルタ３７の外周面に当接するように配置してもよい。
【００３５】
なお、上記において、ピン１０、本体支持フレーム５、及びシリンダ１１が、特許請求の範囲各項記載の筒状部材を傾斜可能に支持する支持手段を構成し、回転ドラムフィルタ３７がフィルタ装置の回転ドラムを構成する。
【００３６】
次に、以上のように構成した本実施の形態による風力選別機の動作及び作用を以下に説明する。
【００３７】
上記構成の風力選別機において、図１に示すようにシリンダ１１を伸長させて本体回転ドラム１の廃棄物導入口１９側が高くなるように本体支持フレーム５を傾斜させ保持した後、本体回転ドラム駆動モータ２を駆動すると、回転ドラム支持ローラ１６ａ，１６ｂを介し本体回転ドラム１はその軸心線まわりに回転する。そしてブロア駆動モータ３０を駆動すると、ブロア４から空気流が生起されて送風ダクト３１、送風フード３３を介し本体回転ドラム１内に供給され、さらに通路部材２７の導出部２７ｂで絞られ、軽量物排出部２７ｃから軽量物分離チャンバ９内に吹き出される。
【００３８】
この状態で、例えばコンクリート塊、木材片、ガラス片、がれき類等の重量物Ｈやビニールシート、紐状あるいはフィルム状の物等の軽量物Ｌ等が混在した混合廃棄物Ｍを投入ホッパ３に投入すると、通路部材ホッパ接続部２７ａより下方に導入されて上記の空気流に衝突され、大部分の軽量物Ｌはこの空気流に載って（風力によって）選別され、空気流れの下流側（図１中右側）に搬送されて、軽量物分離チャンバ９内に導入される。一方、重量物Ｈは、空気流には載らず（重力によって風力に打ち勝ち）、上記のように本体支持フレーム５が傾斜していることから自重によって通路部材導出部２７ｂから廃棄物導入口１９を介し本体回転ドラム１内に導入され、さらにドラム本体１７内周面に沿って本体回転ドラム１の長手方向にころがるようにして流れていく。このとき、重量物Ｈの流れ方向（＝空気流方向とは逆になる）最上流側の流路形成ブロック２３ａの壁面２３ａＡによって、上記のように傾斜に沿って流れる重量物Ｈは一旦捕捉され滞留する。このとき、壁面２３ａＡの手前側（図１中右側）の大径部２６Ａには周方向複数箇所に掻き上げ板２４ａが設けられていることから、上記捕捉された重量物Ｈは、掻き上げ板２４ａ，２４ａの間に滞留する。この結果、回転ドラム本体１が回転していることから、捕捉された重量物Ｈは掻き上げ板２４ａによってその回転方向に掻き上げて同伴され、高さ方向に大きく持ち上げられた後に重力で再び落下して攪拌され解きほぐされ、この落下するときに流路形成ブロック２３ａを乗り越えつつ小径部２５Ａを通過し、次の大径部２６Ｂに流入する。以下同様に、流入した重量物Ｈは再び流路形成ブロック２３ｂの壁面２３ｂＡによって捕捉されて大径部２６Ｂに設けた掻き上げ板２４ｂ，２４ｂの間に滞留し、回転ドラム本体１の回転と共に掻き上げ板２４ａによって持ち上げられた後に落下して解きほぐされ、流路形成ブロック２３ｂを乗り越えつつ小径部２５Ｂを通過し、次の大径部２６Ｃに流入する。さらに重量物Ｈは再び流路形成ブロック壁面２３ｃＡによって捕捉されて掻き上げ板２４ｃによって持ち上げられた後に落下して解きほぐされ、流路形成ブロック２３ｃを乗り越え小径部２５Ｃを通過し、最終段の大径部２６Ｄに流入する。
【００３９】
このように、大径部２６に滞留→掻き上げ板２４で持ち上げて落下→流路形成ブロック２３乗り越えて小径部２５通過→次の大径部２６に流入、という挙動を繰り返させることにより、例えば、投入ホッパ３に投入された後本体回転ドラム１内に導入された石、がれき等の重量物Ｈに、ビニールシート、紐状あるいはフィルム状の軽量物Ｌが強固に絡み合っていたり最終処分場埋設中に湿気を帯びていたり等によって、軽量物Ｌが重量物Ｈに付着し塊を形成している場合であっても、その塊を確実に解きほぐし、軽量物Ｌを重量物Ｈから剥がし取り分離することができる。このときまた、小径部２５を通過し各流路形成ブロック２３を乗り越えるとき、ブロック２３のエッジによって軽量物Ｌを剥がしとる効果もある。さらに、小径部２５においては断面積の縮小（縮径）に伴って空気流の流速が増大するため、ここを通過するときにその速い空気流によって塊状となったものから軽量物Ｌを剥がし取り分離促進することができ、また大きな重量物Ｈが通過するときには、実質的な空気流通過断面積が減少してさらに空気流速が増大し、さらに分離促進することができる。なおこの空気流の流速増大は、軽量物Ｈが傾斜方向下側（重量物排出口側）に落ちていくのを確実に防止できる効果もある。
【００４０】
なお、投入ホッパ３に投入された混合廃棄物Ｍ内に、大径部２６Ａの空気流速では軽量物排出口（廃棄物導入口）１９まで届かず、かといって小径部（縮径部）２５Ａの風速では押し戻されて重量物排出口１８側へ向かって流路形成ブロック２３ａも乗り越えられないような小型、微細な重量物（例えば金属片等）が含まれる場合等は、大径部２６Ａから上記のスクリーン２１を介し中間物排出口２０より本体回転ドラム１外へ排出される。
【００４１】
上記のようにして一旦重量物Ｈから分離された軽量物Ｌは、ブロア４によって本体回転ドラム１内を吹き通されている空気流により、重量物Ｈの上記本体回転ドラム１長手方向傾斜方向に沿った（図１中左側への）流れとは逆に、傾斜を上る方向（図１中右側）へと搬送され、廃棄物導入口１９を介し本体回転ドラム１のこの例では上方側端部（言い換えればブロア４と反対側端部）から排出され、さらに通路部材２７の導出部２７ｂ、軽量物排出部２７ｃを経て軽量物分離チャンバ９内へと排出される。この結果、上記重量物Ｈへの軽量物Ｌの付着による選別性能の低下を防止し、高い精度で効率よく軽量物Ｌの選別を行うことができる。なお重量物Ｈ側でみると、大径部２６及び小径部２５の繰り返しの段差により重量物Ｈが本体回転ドラム１内をあまりに早く流れすぎるのを防止し、滞留時間を長くして選別機能を確保する作用もある。
【００４２】
以上のようにして軽量物Ｌが十分に分離された重量物Ｈは、大径部２６Ｄから重量物排出口１８、さらに排出シュート３４を介し、最終的に本体回転ドラム１のこの例では下方側端部（言い換えればブロア４側端部）から排出される。
【００４３】
一方、導入部９ａより軽量物分離チャンバ９内に吹き込んだ軽量物Ｌを含む空気流は、そのまま略水平方向に直進してフィルタ装置７の回転ドラムフィルタ３７に至り、その多数の貫通孔を外周側から内周側へと通過する。このとき、貫通孔を通過できない軽量物Ｌは回転ドラムフィルタ３７の外周部で捕捉されるが、回転ドラムフィルタ３７をフィルタ駆動モータ３８の駆動力によって図１中矢印ア方向に回転駆動する（例えば風力選別中は連続回転駆動する）ことにより、軽量物Ｌは回転ドラムフィルタ３７外周部に捕捉された状態で下方へ移動してくる。こうして移動してきた軽量物Ｌは、スクレーパ３９によって回転ドラムフィルタ３７の外周部から強制的に引き剥がされる。これにより、例えば軽量物Ｌ中にビニールシート、紐状あるいはフィルム状の物等が存在し、それらが回転ドラムフィルタ７に強く張り付いたり、引っかかったりした場合であっても、それらをスクレーパ３９で確実に除去し、除去された外周部は回転ドラムフィルタ３７の回転とともに上方側へ戻り、目詰まり等のない新鮮な捕捉面として再び機能することができる。したがって、回転ドラムフィルタ３７による軽量物Ｌの分離除去性能の低下を防止し、処理量を向上することができる。また回転ドラムフィルタ３７の目詰まりを防止し空気流の通路を確保できるので、目詰まりにより軽量物排出部９ｃ側から空気流が吹き抜けてしまうのを防止できる。
【００４４】
また特に、本実施の形態においては、上記に加え、回転ドラムフィルタ３７内周側に押し出し部材４０を設け、回転ドラムフィルタ３７外周部に捕捉された軽量物Ｌに対し内周側から外周側への押し出し力を与えてドラム面から押し離し浮き上がらせることで、スクレーパ３９がこの浮き上がった状態で軽量物Ｌの回転ドラムフィルタ３７からの引き剥がしを行うようにしている。このように、押し出し部材４０とスクレーパ３９とで協動作業を行って引き剥がしを行うようにすることで、さらに確実に回転ドラムフィルタ３７における軽量物Ｌの分離除去性能の低下を防止できる。
【００４５】
スクレーパ３９によって引き剥がされた軽量物Ｌは、自重で下方へ落下し、最終的に軽量物排出部９ｃから排出される。このとき、スクレーパ３８で引き剥がされる直前までは回転ドラムフィルタ３７に捕捉された軽量物Ｌが付着していることから、もともとスクレーパ３９付近は局所的に空気流の通過が阻害されている傾向にあるため、引き剥がされた軽量物Ｌは落下しやすい。また、引き剥がし時に軽量物Ｌは例えばシート状形状が丸められてダンゴ状となっているので、回転ドラムフィルタ３７へ向かってくる空気流には載りにくく下方への落下が阻害される可能性は少ない。よってこれによっても軽量物Ｌは落下しやすくなっている。
【００４６】
上記のようにして回転ドラムフィルタ３７の前面側（導入部９ａ側）部分の貫通孔を介し回転ドラムフィルタ３７の外周側から内周側へと通過するときに軽量物Ｌが分離された空気流は、さらに進んで背面側（導入部９ａと反対側）部分の貫通孔を介し回転ドラムフィルタ３７の内周側から外周側へと通過し、空気流排出部９ｂの出口部分から、外部放出される。
【００４７】
以上説明したように、上記本発明の風力選別機の一実施の形態によれば、フィルタ装置７に設けた回転ドラムフィルタ３７の外周部において空気流で搬送された軽量物Ｌを捕捉し、この捕捉された軽量物Ｌをスクレーパ３９で回転ドラムフィルタ３７の外周部から引き剥がすので、空気流に含まれる軽量物Ｌの分離除去性能の低下を防止し、処理量を向上することができる。
【００４８】
なお、上記本発明の一実施の形態は、風力選別機本体側の構成として、シリンダ１１により本体回転ドラム１を水平よりやや傾斜させ、その斜め下方から上方に向かってブロア４からの空気流を吹き上げさせて軽量物Ｌを軽量物分離チャンバ９に導入するものを例にとって説明したが、本発明の主たる効果であるフィルタ装置７における空気流に含まれる軽量物Ｌの分離除去性能の低下防止という効果を得る限りにおいては、これに限られず、風力選別機本体側はもっとシンプルな構成でもよい。そのような変形例を図６及び図７により説明する。
【００４９】
図６は、本発明の風力選別機の一実施の形態において風力選別機本体側の構成を簡素化した変形例の全体構造を表す側断面図であり、図７は、図６に示した構成の上面図である。上記本発明の一実施の形態と同等の部分には同一の符号を付し、適宜説明を省略する。
【００５０】
これら図６及び図７において、この風力選別機では、上記本発明の一実施の形態の本体回転ドラム１に代えて固定型の筒体５０が軸線を略鉛直方向にして投入ホッパ３の下方に縦置きに配置されている。そして、この筒体５０の鉛直上下方向中間部に送風ダクト３１がその軸線を略水平方向にして接続されており（すなわち筒体５０の軸線と送風ダクト３１の軸線とが略直交する）、筒体５０のうち送風ダクト３１との接続位置より送風方向（図６中右方向）延長上の反対側部分に、軽量物分離チャンバ９の導入部９ａが接続されている。なお、５１は装置全体のベースフレームであり、５２はブロア４をベースフレーム５１に取り付けるための支持部材、５３はフィルタ装置７を含む軽量物分離チャンバ９をベースフレーム５１に支持するための支持部材である。
【００５１】
上記構成の風力選別機において、ブロア４からの空気流が送風ダクト３１を介し筒体５０の上下方向中間部に略水平方向に供給され、筒体５０の軸線を横切るように流れた後、導入部９ａから軽量物分離チャンバ９内に吹き出される。この状態で混合廃棄物Ｍを投入ホッパ３に投入すると、筒体５０の導入部５０ａより下方へ導入されて筒体５０の上下方向中間部で上記の空気流に横から衝突され、軽量物Ｌはこの空気流に載って（風力によって）選別され、空気流れの下流側（図１中右側）に搬送されて、導入部９ａから軽量物分離チャンバ９内に導入される。軽量物分離チャンバ９内に導入された後の空気流及び軽量物Ｌの挙動は上記本発明の一実施の形態と同様であるので説明を省略する。
【００５２】
一方、重量物Ｈは、上記横切る空気流には載らず（重力によって風力に打ち勝ち）、自重によって下方へ落下し、軽量物Ｌが分離された状態で筒体５０の排出部５０ｂより最終的に筒体５０外に排出される。
【００５３】
本変形例においても、上記本発明の風力選別機の一実施の形態と同様の効果を得ることができる。
【００５４】
なお、以上においては、選別対象として混合廃棄物を例にとって説明したが、本発明の適用対象は必ずしもこれに限られず、例えば、砕石、木材の選別等にも適用可能であり、この場合も同様の効果を得る。
【００５５】
【発明の効果】
本発明によれば、通気機能を備えた回転ドラムの外周面において空気流で搬送された軽量物を捕捉し、この捕捉された軽量物をスクレーパで回転ドラムの外周面から引き剥がすので、空気流に含まれる軽量物の分離除去性能の低下を防止し、処理量を向上することができる。
【図面の簡単な説明】
【図１】本発明の風力選別機の一実施の形態の全体構造を表す側断面図である。
【図２】本発明の風力選別装置の一実施の形態を構成する本体回転ドラムの詳細構造を表す水平断面図である。
【図３】本発明の風力選別装置の一実施の形態を構成するフィルタ装置の側面構造を表す図１中部分拡大図にほぼ相当する図である。
【図４】本発明の風力選別装置の一実施の形態を構成するフィルタ装置の詳細構造を表す縦断面図である。
【図５】本発明の風力選別装置の一実施の形態を構成するフィルタ装置の回転ドラムフィルタ及び回転押し出し部材の詳細構造を表す斜視図である。
【図６】本発明の風力選別機の一実施の形態において風力選別機本体側の構成を簡素化した変形例の全体構造を表す側断面図である。
【図７】本発明の風力選別機の一実施の形態において風力選別機本体側の構成を簡素化した変形例の全体構造を表す上面図である。
【符号の説明】
１　　　　　　　本体回転ドラム（筒状部材）
２　　　　　　　本体回転ドラム駆動モータ（駆動手段）
３　　　　　　　投入ホッパ
４　　　　　　　ブロア（送風機）
７　　　　　　　フィルタ装置
２３ａ〜ｃ　　　流路形成ブロック
２３ａＡ　　　　廃棄物導入口側壁面（段付き部、捕捉手段）
２３ｂＡ　　　　廃棄物導入口側壁面（段付き部、捕捉手段）
２３ｃＡ　　　　廃棄物導入口側壁面（段付き部、捕捉手段）
２４ａ〜ｃ　　　掻き上げ板（掻き上げ手段）
３７　　　　　　回転ドラムフィルタ（回転ドラム）
３９　　　　　　スクレーパ
４０　　　　　　押し出し部材（押し出し手段）
Ｈ　　　　　　　重量物
Ｌ　　　　　　　軽量物
Ｍ　　　　　　　混合廃棄物
【図１】
2004033881.tif 000003
【図２】
2004033881.tif 000004
【図３】
2004033881.tif 000005
【図４】
2004033881.tif 000006
【図５】
2004033881.tif 000007
【図６】
2004033881.tif 000008
【図７】
2004033881.tif 000009